(57)【要約】【課題】  水平枠を大幅に容易に上下に移動調節できるリーチ測定器を提供すること。【解決手段】  支柱５の頂部に水平枠２を設け該水平枠２に測定部３を設けてなるリーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設け、支柱５の頂部を上限位置から下限位置までの移動範囲を広げその範囲の適宜位置に設定でき、中支柱１０を下支柱９に係止する係止具３２を下支柱９に設けられるプランジャ１２とし、上支柱１１を中支柱１０に係止する係止具３２を上支柱１１に設けられる摩擦抵抗体１３とし、支柱５の伸縮の微調節を上支柱１１の昇降で行なうリーチ測定器である。【選択図】図１
2008061836.tif 000002
【特許請求の範囲】
【請求項１】
支柱５の頂部に水平枠２を設け該水平枠２に測定部３を設けてなるリーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設け、
支柱５の頂部を上限位置から下限位置までの移動範囲を広げその範囲の適宜位置に設定できるリーチ測定器。
【請求項２】
中支柱１０を下支柱９に係止する係止具３２を下支柱９に設けられるプランジャ１２とし、上支柱１１を中支柱１０に係止する係止具３２を上支柱１１に設けられる摩擦抵抗体１３とし、
支柱５の伸縮の微調節を上支柱１１の昇降で行なう請求項１記載のリーチ測定器。
【請求項３】
中支柱１０を下支柱９に係止する係止具３２を、中支柱１０に設けられる下摩擦抵抗体３１とし、上支柱１１を中支柱１０に係止する係止具３２を、上支柱１１に設けられる摩擦抵抗体１３とし、下摩擦抵抗体３１の摩擦抵抗力を摩擦抵抗体１３の摩擦抵抗力より大きいものとし、
支柱５の伸縮の微調節を上支柱１１の昇降で行なう請求項１記載のリーチ測定器。
【請求項４】
外側の支柱５の上縁内部に、内側の支柱５の振れを防止する軟質な縁部材３３が設けられる請求項１記載のリーチ測定器。
【請求項５】
水平枠２の側壁に計測用符号３４を記載し、上支柱１１の側壁に計測用符号３４に対応しベッド３０から測定位置を見込んだ位置にある設定用符号３５を記載してなり、長座位前屈測定に際し支柱５の高さを設定する時、支柱５の頂部から垂下した水平枠２の計測用符号３４でベッド３０の座面高さを調べ、この調べた特定符号と設定用符号３５の符号を同符号に合わせて中支柱１０の上端縁を止め、上支柱１１の高さを設定する請求項１記載のリーチ測定器。
【発明の詳細な説明】
【技術分野】
【０００１】
本発明は、被測定者のバランス機能及び柔軟性を測定するリーチ測定器に関する。
【背景技術】
【０００２】
従来の技術は、昇降パイプと固定パイプとの間に摩擦抵抗を発生する摺動抵抗部材が、昇降パイプ側に取着されている。
上記構成によれば、昇降パイプを片手で持って垂直フレームの高さを変更調節できる。又、簡単な方法で被測定者の動的バランスを測定できる効果がある。
しかし、従来装置は、水平枠の高さを、ベッドに長座位に座った被測定者が柔軟性を測定するに適する低位置に容易に設定できない。即ち、従来の技術の垂直フレームは固定パイプと昇降パイプとの二段である為、縮小した時の下限状態における垂直フレームの頂部位置は高い。被測定者が低いベッドに長座位に座して測定をする時には不都合である。
【特許文献１】特開２００４−６５３０３号
【発明の開示】
【発明が解決しようとする課題】
【０００３】
発明が解決しようとする課題は、リーチ測定器において、水平枠の高さを、ベッドに座った被測定者に適する低位置まで下げその位置に容易に設定できることである。
【課題を解決するための手段】
【０００４】
本発明の目的は、水平枠を大幅に容易に上下に移動調節できるリーチ測定器を提供することにある。
即ち本発明は、支柱５の頂部に水平枠２を設け該水平枠２に測定部３を設けてなるリーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設け、支柱５の頂部を上限位置から下限位置までの移動範囲を広げその範囲の適宜位置に設定できるリーチ測定器である。
又、中支柱１０を下支柱９に係止する係止具３２を下支柱９に設けられるプランジャ１２とし、上支柱１１を中支柱１０に係止する係止具３２を上支柱１１に設けられる摩擦抵抗体１３とし、支柱５の伸縮の微調節を上支柱１１の昇降で行なう。
更に、中支柱１０を下支柱９に係止する係止具３２を、中支柱１０に設けられる下摩擦抵抗体３１とし、上支柱１１を中支柱１０に係止する係止具３２を、上支柱１１に設けられる摩擦抵抗体１３とし、下摩擦抵抗体３１の摩擦抵抗力を摩擦抵抗体１３の摩擦抵抗力より大きいものとし、支柱５の伸縮の微調節を上支柱１１の昇降で行なう。
更に又、外側の支柱５の上縁内部に、内側の支柱５の振れを防止する軟質な縁部材３３が設けられる。
又、水平枠２の側壁に計測用符号３４を記載し、上支柱１１の側壁に計測用符号３４に対応しベッド３０から測定位置を見込んだ位置にある設定用符号３５を記載してなり、長座位前屈測定に際し支柱５の高さを設定する時、支柱５の頂部から垂下した水平枠２の計測用符号３４でベッド３０の座面高さを調べ、この調べた特定符号と設定用符号３５の符号を同符号に合わせて中支柱１０の上端縁を止め、上支柱１１の高さを設定する。
【発明の効果】
【０００５】
本発明は、リーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設けたので、支柱５の頂部を高位置から低位置の範囲の適宜位置に容易に設定でき、支柱５の頂部に設ける測定部３の高さを所望の高さに設定でき、好都合である。
支柱５を縮小すれば、支柱５の頂部を低位置まで調節でき、低いベッドにも適合でき、好都合である。
又、収納時は、支柱５を縮小すれば、小型化でき、持ち運びに便利となり、好都合である。
更に、支柱５を伸長すればその頂部を高位置にまで調節でき、立位で行なうリーチ測定を長身な被測定者でも満足に行なえ、好都合である。
【０００６】
本発明は、中支柱１０を下支柱９に係止する係止具３２をプランジャ１２とし、上支柱１１を中支柱１０に係止する係止具３２を摩擦抵抗体１３とし、支柱５の伸縮の微調節を上支柱１１の昇降で行なうから、支柱５の低位置部をプランジャ１２で大スパンに上限と下限の２段階に係止し、支柱５の高位置部を摩擦抵抗体１３で無段階に係止するという二種類の係止態様で支柱５の高さ調節を行ない、支柱５の高さを容易に所望高さに設定でき、好都合である。
又、支柱５の伸縮の微調節は、上支柱１１の昇降のみで行ない、測定部３の昇降操作が容易であり、好都合である。
【０００７】
本発明は、中支柱１０を下支柱９に係止する係止具３２を、中支柱１０に設けられる下摩擦抵抗体３１とし、上支柱１１を中支柱１０に係止する係止具３２を、上支柱１１に設けられる上摩擦抵抗体１３とし、下摩擦抵抗体３１の摩擦抵抗力を上摩擦抵抗体１３の摩擦抵抗力より大きくし、支柱５の伸縮の微調節を上支柱１１の昇降で行なうから、中支柱１０の高さを任意な適宜高さに硬目に係止し、支柱５の伸縮の微調節を上支柱１１の昇降で行ない、測定部３1の昇降操作が容易であり、好都合である。
【０００８】
本発明は、外側の支柱５の上縁内部に、内側の支柱５の側面に接し内側の支柱５の振れを防止する軟質な縁部材３３が設けられるから、縁部材３３が、内側の支柱５と外側の支柱５の相互間の隙間を、僅かの摩擦抵抗をもって埋めるため、嵌入している支柱５が横揺れを阻止され振れず、測定部３が確実に支持され測定値が正確となり、好都合である。
又、支柱５のプランジャ１２の固定作用を解除した際に、上位側の支柱５が急降下せず、介助者や被測定者が手指その他の部位を怪我する心配がなく安全・安心であり、好都合である。
【０００９】
本発明は、長座位体前屈も測定可能なリーチ測定器１に関する発明である。長座位体前屈の測定を行なう時にはデータの信頼性、再現性を高めるため、体格の個人差に関係なく、ベッド３０からの測定位置高さを予め決めておく必要がある。例えばベッド３０から３０センチの高さとする。本発明では色々な高さのベッド３０で長座位体前屈測定を実施する時に、物差し等がなくても、測定位置高さが決定できる。
又、本発明は、水平枠２の側壁に計測用符号３４を記載し、上支柱１１の側壁に計測用符号３４に対応しベッド３０から測定位置を見込んだ位置にある設定用符号３５を記載してなり、長座位前屈測定に際し支柱５の高さを設定する時、支柱５の頂部から垂下した水平枠２の計測用符号３４でベッド３０の座面高さを調べ、この調べた特定符号と設定用符号３５の符号を同符号に合わせて中支柱１０の上端縁を止め、上支柱１１の高さを設定するから、ベッド３０の座面から測定部３までの高さを、物差しで測ることなく最適高さ（＝座面上最適な特定距離、例えば３０センチ）に、足し算、引き算等の計算をせずに容易に設定でき、好都合である。
又、リーチ測定、長座位体前屈測定共に、測定した時の当接体６の高さを物差しを使わずに知り記録することができ、次回、リーチ測定時に同値に設定して高さを測定すれば、再現性が高く、信頼性の高いリーチ計測データを得ることができ、好都合である。
【発明を実施するための最良の形態】
【００１０】
水平枠２を大幅に容易に上下に移動調節できるリーチ測定器１を提供する目的を、支柱５の頂部に水平枠２を設け該水平枠２に測定部３を設けてなるリーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設け、支柱５の頂部を上限位置から下限位置までの移動範囲を広げその範囲の適宜位置に設定できるリーチ測定器１として、実現した。
【実施例１】
【００１１】
図１乃至図４に本発明の実施例１を示しており、該実施例１のリーチ測定器１は、被測定者が、水平枠２に設けられた測定部３を離間方向に押して移動させ、その移動距離から被測定者のバランス能力を測定するものである。
実施例１は、脚枠４と、支柱５と、測定部３と、水平枠２と、当接体６と、表示器１５とからなる。
【００１２】
脚枠４は、床面８に載置され支柱５を支持する枠体である。
支柱５は、脚枠４の中央に立設される下支柱９と、下支柱９に挿入される中支柱１０と、中支柱１０に挿入される上支柱１１と、外側の支柱５と内側の支柱５との間にそれぞれ設けられる係止具３２と、下支柱９及び中支柱１０の上縁内部に設けられる縁部材３３とからなる。
上支柱１１の側壁１１ａに設定用符号３５が記載される。設定用符号３５は具体例では数字である。
【００１３】
下支柱９に設けられる係止具３２は、具体例ではプランジャ１２であり、上支柱１１に設けられる係止具３２は、具体例では摩擦抵抗体１３である。
上・中支柱１１・１０は手動操作により昇降する。
プランジャ１２は、中支柱１０を上昇させた上限位置で下支柱９に固定するものである。中支柱１０を上限位置に上昇させた時プランジャ１２の突起１５が嵌入する穴４１が中支柱１０に開けられる。中支柱１０が下限位置にある時にも突起１５が嵌入する穴４１が中支柱１０に開けられる。
【００１４】
摩擦抵抗体１３は、上支柱１１に設けられ、上支柱１１と中支柱１０との間に生じる摩擦抵抗によって上支柱１１を中支柱１０に無段階に係止固定し、上支柱１１の高さを調節するものである。
【００１５】
水平枠２は、上支柱１１の頂部に水平方向に延接される直線状の枠体である。
バランス測定時には、被測定者の正面に、前後方向（＝やや離れた位置から直前位置に迫って来る方向）に位置させる。
水平枠２は、ノブボルト２９により水平方向に係止される。又、ノブボルト２９を緩めれば、水平枠２の固定が解除でき、解除後には、水平枠２を垂直状態にまで折り曲げることができる。
【００１６】
水平枠２の側壁２ａに計測用符号３４が記載される。計測用符号３４は具体例では数字である。計測用符号３４は水平枠２を垂下位置にしてベッド３０に接近させ、ベッド３０の上面の高さを符号で知るものである。
ベッド３０を用いて長座位体前屈測定を行なう時に、ベッド３０の上面の高さを計測用符号３４から知り、その符号と上支柱１１の設定用符号３５の符号における同符号の位置に、中支柱１０の上端縁を合わせ、上支柱１１を固定するものである。
【００１７】
測定部３は、バランス測定時等に被測定者によって移動させられるものである。測定部３は、水平枠２に摺動可能に載設される。測定部３は、手動操作により水平枠２上を前後に移動する。
測定部３は、水平枠２における測定部３の位置を検出する水平エンコーダ１４と、表示器１５と、諸電気回路とからなり、バランスを測定するものである。
【００１８】
当接体６は、測定部３の左右側壁に左右方向に延設され、左右方向に長尺な所定面積の垂直平面板である。
当接体６は、測定時に被測定者の伸ばした指先で押されるものである。
【００１９】
操作部１６は、スイッチ群１７と、設定器１８とを有してなり、これらの部材が操作部１６の表面に配設される。
スイッチ群１７は、測定を開始する開始スイッチ１９と、測定を終了する終了スイッチ２０と、表示器１５の表示をクリアするクリアスイッチ２１と、実施例１の所定の諸電気部品に電力を印加する電源スイッチ２２と、確定スイッチ２１とでなる。
設定器１８は、被測定者の名前、年齢、身長、体重等の測定条件をインプットし設定するものである。
【００２０】
図５に記載のブロック図は電気的構成を示す。
電気的構成は、スイッチ群１７と、表示器１５と、設定器１８と、メモリ２３と、移動距離計測手段２４とからなる。
スイッチ群１７は、前述した操作部１６に設けられるスイッチの他に、タイマー２６を有する。
【００２１】
表示器１５は、デジタル表示手段２５であり、測定部３の上部に載設される。
表示器１５は、水平枠２の床面８からの高さ、日付け、設定器１８でインプットした種種の値等の測定条件を表示し、又、水平枠２の移動距離値とＦＲ値等の測定結果を表示するものである。
移動距離計測手段２４は、水平エンコーダ１４と演算部２８とでなる。
【００２２】
タイマー２６は、切換えスイッチ２７を自動測定とした場合の測定時に、被測定者が当接体６を移動し終わった時、カウントを開始し、所定時間（＝具体例では５秒）が経過すると移動距離計測手段２４に測定値の確定信号を入れるものである。
切換えスイッチ２７を確定スイッチ４２側に投入し手動測定とした時は、１回の測定動作の終了後ごとに介助者が確定スイッチ４２を押す。
メモリ２３は、予め記憶された比較評価する基準値を記憶し、比較評価時に用いるものであり、又、設定器１８でインプットした種種の値を記憶するものである。
【００２３】
図  中、３６は化粧カバー、３７は皿バネ、３８は摩擦部材、３９は取っ手、４０はバネである。
【００２４】
リーチ測定器１に係る測定部３は、バランス機能その他の測定を行なう。
被測定者は、床面８に立ち、当接体６に向かう。
介助者は、手動で、脚枠４の位置、支柱５の高さを操作し、当接体６を被測定者にとって好適な位置に設定する。
【００２５】
当接体６の上下調節に際し、支柱５を伸縮させる。下支柱９、中支柱１０及び上支柱１１は所望の伸縮した位置に係止具３２で係止固定され、当接体６を所望の高さに設定できる。
先ず、介助者は、中支柱１０を上限位置へ移動し、プランジャ１２で固定する。
【００２６】
上支柱１１を昇降させ水平枠２の高さを調節する。摩擦抵抗体１３により自在位置に固定（＝フリーストップ）できる。
脚枠４を床面８にて動かし水平枠２の方向を、被測定者の正面に対向させて設置する。即ち、水平枠２を被測定者の直近から正面前方に放射状に離れていく態様にして設置する。
【００２７】
測定部３及び当接体６を水平枠２の先端（＝被測定者に最も接近した位置）に位置させる。
当接体６は前記被測定者の略肩の高さに調節する。
中支柱１０は、下支柱９の縁部材３３に接触し横揺れを阻止され振れない。同様に、上支柱１１も、中支柱１０の縁部材３３に接触し横揺れを阻止され振れない。
【００２８】
次に、脚枠４を左右に移動することによって水平枠２を左右に移動させ、当接体６が上述した被測定者の正面に来る様にする。
バランス測定時には、当接体６を、被測定者の正面であって左右方向に位置させる。
次に、被測定者は直立し、腕及び手を前に伸展し、当接体６に指の先端が当たるように当接体６を位置させて、初期位置とする。
【００２９】
上記調節の後、介助者は、開始スイッチ１９を投入する。
上記の投入により、当接体６の現位置が測定原点となる。
次に、被測定者は、全身を前傾しながら、右手又は左手のいずれかの片手又は両手の前記指で当接体６を離間方向へ押す。
被測定者は、足を動かさないで、可能な限り前傾し、当接体６を前方向へ継続的に移動させる。
当接体６と同時に測定部３が移動する。
【００３０】
被測定者は、前傾限度まで至った時、前傾動作を中止し、当接体６から指を離間し、全身を直立姿勢に立ち直り、元の立位に戻る。
水平エンコーダ１４は、測定部３の移動に反応して作動し当該測定部３の移動距離を測る。計測する当接体６の移動距離は前述の測定原点からの移動距離である。
水平エンコーダ１４で測定した値を演算部２８で演算する。
【００３１】
上記前傾動作を複数回（＝具体例では３回）行ない、当接体６の移動に係る３個値の「平均値」を、表示器１５に表示する。
又、上記平均値からＦＲ値を演算し、その「ＦＲ値」を表示器１５に表示する。
更に、メモリ２３に記憶した標準値と比較した値、或いはメモリ２３に記憶した前回測定値と比較した値等の「比較値」も表示できる。
前記の諸値を動的バランス値と称し動的バランス機能の指標となる。
測定部３が有する表示器１５は、測定部３の頂部に上方へ突き出た位置から、被測定者及び介助者に向けて、測定結果及び測定条件等を表示する。
【００３２】
長座位体前屈測定をする場合は、中支柱１０のプランジャ１２を引きその固定作用を解除し、中支柱１０を下限位置にまで下げ、その位置で中支柱１０をプランジャ１２で下支柱９に固定する。固定はバネ４０力で突起１５が穴４１に入り自動的に行なわれる。
次に、ノブボルト２９を緩め、水平枠２の固定を解除し、水平枠２を垂直状態にまで折り曲げる。
【００３３】
垂下状態の水平枠２で、ベッド３０の上面の位置と水平枠２の計測用符号３４を照合し確認する。即ち、計測用符号３４でベッド３０の座面高さを調べる。
次に、上支柱１１を昇降させ、前述の確認した符号と、上支柱１１の設定用符号３５と同符号に、中支柱１０の上端縁を合わせ当接体６の高さを係止固定する。
この照合設定により、ベッド３０面から当接体６までの高さが好適な高さ（＝具体例では３０センチ）に設定する。
【００３４】
バランス測定等の作業を終了し収納する時は、上支柱１１を下方へ押し込み、中支柱１０のプランジャ１２の固定作用を解除し、中支柱１０を下方へ押し込み、支柱５を縮小し、水平枠２を折り曲げ、収納状態になす。
【実施例２】
【００３５】
実施例２は、実施例１のプランジャ１２を、摩擦抵抗体に代えたものである。
実施例２は、中支柱１０に下摩擦抵抗体３１を設ける。
下摩擦抵抗体３１の摩擦抵抗力を、上支柱１１の摩擦抵抗体１３の摩擦抵抗力より大きく作る。
【００３６】
上支柱１１を昇降させる時、下摩擦抵抗体３１の摩擦抵抗力が大きい故に下支柱９は昇降せず固定状態を維持する。
当接体６の高さを設定する時は、先ず中支柱１０で概略の高さを設定し、次に上支柱１１で細かく調節し設定する。
【産業上の利用可能性】
【００３７】
支柱５の頂部に水平枠２を設け該水平枠２に測定部３を設けてなるリーチ測定器１において、立設され伸縮可能な支柱５を、下支柱９と、下支柱９内に挿入される中支柱１０と、中支柱１０内に挿入される上支柱１１の３個支柱で構成し、外側の支柱５と挿入される内側の支柱５との間に係止具３２を設け、支柱５の頂部を上限位置から下限位置までの移動範囲を広げその範囲の適宜位置に設定できるリーチ測定器によって、水平枠を大幅に容易に上下に移動調節でき、その位置に好適に設定できるものに適用できる。
【図面の簡単な説明】
【００３８】
【図１】本発明の実施例１の斜視図である。
【図２】本発明の実施例１の支柱を示す部分図である。
【図３】本発明の実施例１の収納状態を示す斜視図である。
【図４】本発明の実施例１の斜視図である。
【図５】本発明の実施例１の電気的構成を示すブロック図である。
【図６】本発明の実施例２の支柱を示す部分図である。
【符号の説明】
【００３９】
１  リーチ測定器
２  水平枠
２ａ側壁
５  支柱
９  下支柱
１０  中支柱
１１  上支柱
１１ａ側壁
１２  プランジャ
１３  摩擦抵抗体
３０  ベッド
３１  下摩擦抵抗体
３２  係止具
３３  縁部材
３４  計測用符号
３５  設定用符号
【図１】
2008061836.tif 000003
【図２】
2008061836.tif 000004
【図３】
2008061836.tif 000005
【図４】
2008061836.tif 000006
【図５】
2008061836.tif 000007
【図６】
2008061836.tif 000008